(57)【要約】  本発明は（Ｉ）第１、第２および第３の側面（２）、（３）、（４）、（ＩＩ）第１の蓋（６）をなす頂面（５）、ならびに（ＩＩＩ）第２の蓋（８）をなす底面（７）を包含する多角形ボックス（１）に関する。これら第１、第２および第３の側面（２）、（３）、（４）はそれぞれ、（ａ）頂面（５）とそれぞれ共通する第１の端縁（９）、（１０）、（１１）および（ｂ）底面（７）とそれぞれ共通する第２の端縁（１２）、（１３）、（１４）を有し、第１の蓋（６）は第１の側面（２）の第１の共通の端縁（９）につながっており、第２の側面（３）は第１の共通の端縁（１０）につながる第１の折りまげ可能なフラップ（１５）を包含し、この第１の折り曲げ可能なフラップ（１５）は第１の蓋（６）の下に挿入されるものとする。この多角形ボックス（１）は、第１の折り曲げ可能なフラップ（１５）が、機械強度が比較的小さい第１の境目（１７）をその周辺に有する第１の表面（１６）を包含し、またこの第１の表面（１６）は、それが折り曲げられそして頂面（５）と共面にされる時に、第１の蓋（６）に対して押圧されそしてこれと一体化されることを特徴とする。
2005510420.tif 000002
【特許請求の範囲】
【請求項１】
(Ｉ）第１、第２および第３の面（２）、（３）、（４）、（II）第１の蓋（６）をなす頂面（５）、ならびに（III）第２の蓋（８）をなす底面（７）を包含し、これら第１、第２および第３の面（２）、（３）、（４）はそれぞれ、（ａ）頂面（５）と共通するそれぞれの第１の端縁（９）、（１０）、（１１）、および（ｂ）底面（７）と共通するそれぞれの第２の端縁（１２）、（１３）、（１４）を有し、第１の蓋（６）は第１の面（２）の第１の共通の端縁（９）につながっており、第２の面（３）は第１の共通の端縁（１０）につながる第１の折り曲げフラップ（１５）を包含し、この第１の折り曲げフラップ（１５）は第１の蓋（６）の下に挿入される多角形ボックス（１）であって、第１の折り曲げフラップ（１５）は、機械強度が比較的小さい第１の境目（１７）をその周辺に有する第１の表面（１６）を包含すること、またこの第１の表面（１６）は、それが折り曲げられそして頂面（５）と共面にされる時に、第１の蓋（６）に対して押圧されそしてこれに固着されることを特徴とする多角形ボックス（１）。
【請求項２】
第２の蓋（８）がその共通する第２の端縁（１２）によって第１の面（２）につながっていること、またそれが、第２の面（３）にその共通する第２の端縁（１３）によってつながった第２の折り曲げフラップ（１８）を包含し、この第２の折り曲げフラップ（１８）が第２の蓋（８）の下に挿入されることを特徴とする請求項１にに記載する多角形ボックス（１）であって、第２の折り曲げフラップ（１８）は、機械強度が比較的小さい第２の境目（２０）をその周辺に有する第２の表面（１９）を包含すること、またこの第２の表面（１９）は、それが折り曲げられそして底面（７）と共面にされる時に、第２の蓋（８）に対して押圧されそしてこれに固着されることを特徴とする、請求項１に記載の多角形ボックス（１）。
【請求項３】
第１の蓋（６）が折り曲げられる時に第３の面（４）の下に挿入される第１の折り曲げタブ（２１）をこの第１の蓋（６）が包含すること、この第３の面（４）が機械強度の比較的小さい第３の境目（２３）をその周辺に有する第３の表面（２２）を包含すること、そしてこの第１のタブ（２１）が、第３の表面（２２）に対して押圧されそしてこれに固着されることを特徴とする、請求項１または２に記載の多角形ボックス（１）。
【請求項４】
第２の蓋（８）が、第３の面（４）の下に挿入される第２の折り曲げタブ（２４）をさらに包含すること、この第３の面（４）が機械強度の比較的小さい第４の境目（２６）をその周辺に有する第４の表面（２６）を包含すること、そしてこの第２のタブ（２４）が、第４の表面（２５）に対して押圧されそしてこれに固着されることを特徴とする、請求項１〜３のいずれか１項に記載の多角形ボックス（１）。
【請求項５】
ボックスが製造される材料が異方性であることを特徴とする、請求項１〜４のいずれか１項に記載の多角形ボックス（１）。
【請求項６】
異方性材料が、第１および第２の共通端縁（９）〜（１４）のうちから選ばれる端縁に平行する軸線に沿って比較的大きい引っ張り強度を有することを特徴とする、請求項５に記載の多角形ボックス（１）。
【請求項７】
異方性材料の比較的大きい引っ張り強度が、配向された織物繊維を含ませることにより得られることを特徴とする、請求項６に記載の多角形ボックス（１）。
【請求項８】
織物繊維が、セルロース、ビスコース、木綿、亜麻、麻、イラクサ、羊毛、絹、ポリエステル、ナイロン、ポリオレフィン、アラミッドからなる群から選択されることを特徴とする、請求項７に記載の多角形ボックス（１）。
【請求項９】
多角形ボックス（１）が第４の面（２７）をさらに包含し、この第４の面（２７）が、（Ｉ）第１の蓋（６）の下に挿入される第３の折り曲げフラップ（２８）、および（II）第２の蓋（８）の下に挿入される第４の折り曲げフラップ（２９）を包含することを特徴とする、請求項１〜８のいずれか１項に記載の多角形ボックス（１）。
【請求項１０】
第３の折り曲げフラップ（２８）が、機械強度が比較的小さい第５の境目（３１）をその周辺に有する第５の表面（３０）を包含すること、第１の蓋（６）が折り曲げられそして頂面（５）と共面にされる時に、この第５の表面（３０）が、第１の蓋（６）に対して押圧されそしてそれに固着されること、第４の折り曲げフラップ（２９）が、機械強度が比較的小さい第６の境目（３３）をその周辺に有する第６の表面（３２）を包含すること、そして第２の蓋（８）が折り曲げられそして底面（７）と共面にされる時に、この第６の表面（３２）が、第２の蓋（８）に対して押圧されそしてそれに固着されることを特徴とする、請求項９に記載の多角形ボックス（１）。
【請求項１１】
主としてボール紙から製造されることを特徴とする、請求項１〜１０のいずれか１項に記載の多角形ボックス（１）。
【請求項１２】
請求項１〜１１のいずれか１項に記載の多角形ボックス（１）を製造するのに使用できるプレカット折り曲げシート（３４）。
【発明の詳細な説明】
【技術分野】
【０００１】
本発明は包装産業に関連がある。
一層特定的に、本発明は（Ｉ）第１、第２および第３の面、（II）第１の蓋をなす頂面、ならびに（III）第２の蓋をなす底面を含む多角形ボックスであって、これら第１、第２および第３の面はそれぞれ、（ａ）頂面と共通する第１の端縁および（ｂ）底面と共通する第２の端縁を有し、第１の蓋は第１の面の第１の共通の端縁につながっており、第２の面は第１の共通の端縁につながる第１の折りまげフラップを含み、この第１の折り曲げフラップは第１の蓋の下に挿入される。
【背景技術】
【０００２】
この種類のボックスは技術上周知でありまた多年に亙って首尾良く使用されてきた。このボックスはその外見上目に見える変化なしに極めて多数回開けそして閉じることができ、従って、それに大きな耐久性が与えられている。
【０００３】
しかしながら、その外見に目に見える変化がないというまさにその結果、このボックスは、例えば、その元来の内容物を他の好ましくない製品によって入れ替えることを狙う欺瞞的操作をこうむりやすい。
【０００４】
従って、ボックス中に含まれる製品の欺瞞的取り扱いの検出を可能にする一方、同時に、反復的な開放と閉鎖に関する性能を保証できるようにする解決法の必要性が認められている。
【発明の開示】
【発明が解決しようとする課題】
【０００５】
好ましくない開放を検出するための技術は知られている。例えば普通提案されている解決法は、開放する仕掛けにシールを付けることからなる。しかしながら、確信的な悪質者は、引きはがしたシールを張ることによるまたは取り替え用のシールの貼り付け、つまり作成するのが一般にかなり安価なシールを貼り付けることによる再度の貼り付けで上記の解決法を容易にかわすことができる。
【課題を解決するための手段】
【０００６】
本発明はこれら全ての欠陥を軽減する。従って、上記の多角形ボックスでは、第１の折り曲げフラップは、機械強度が比較的小さい第１の境目をその周辺に有する第１の表面を包含し、またこの表面は、それが折り曲げられそして頂面と共面にされる時に、第１の蓋に対して押圧されそしてこれに固着されることが特徴である。
【０００７】
結果として、第１の蓋および第１の面に共通する第１の端縁からなる軸の周りに第１の蓋を回転することにより本発明のボックスが開けられる時、機械強度が比較的小さい第１の境目に沿って第１のフラップが開放によって引きちぎられ、第１の表面が第１の蓋に固着されて残留する。
【発明の効果】
【０００８】
本発明の利点は、ボックスが開けられていることを悪質者が隠そうとするとき、ボックスを修復するのに大きな困難があることにもある。
【発明を実施するための最良の形態】
【０００９】
好ましい態様によるとき、その第２の共通する端縁によって第１の面に第２の蓋がつな
がっていてよく、またボックスは、第２の共通する端縁によって第２の面につながった第２の折り曲げフラップをさらに包含してよい。第２の折り曲げフラップは、第２の蓋の下に挿入されることができる。好ましくは、第２の折り曲げフラップは、機械強度が比較的小さい第２の境目をその周辺に有する第２の表面を包含してよく、またこの表面は、それが折り曲げられそして底面と共面にされる時に、第２の蓋に対して押圧されそしてこれに固着される。
【００１０】
従って、本発明による保護は、ボックスの底面を閉じるための仕掛けに同時に施されてもよい。
【００１１】
好ましい態様によるとき、第１の蓋は、それが折り曲げられる時に第３の面の下に挿入される第１の折り曲げタブをさらに包含し、この第３の面は機械強度が比較的小さい第３の境目をその周辺に有する第３の表面を包含する。この場合、この第１のタブは、第３の表面に対して押圧されそしてこれに固着されることができる。
【００１２】
好ましい態様によるとき、第２の蓋は、第３の面の下に挿入される第２の折り曲げタブを包含してよい。この第３の面は機械強度が比較的小さい第４の境目をその周辺に有する第４の表面を包含してよい。この第２のタブは、第４の表面に対して押圧されそしてこれに固着されることができる。
【００１３】
本発明の極めて好ましい特徴に従うとき、多角形ボックスが製造される材料は異方性である。
【００１４】
ボックスを製造するときに異方性材料の使用すると、確信的な悪質者がボックスを開ける操作を隠す際に遭遇する困難を増大することができる。実際、異方性材料の使用の結果、機械強度が比較的小さい第１の境目に関する材料の異方性の配向に応じてより大きなまたはより小さい程度の力によって引き裂きが行われるようになることが分かった。
【００１５】
好ましくは、異方性材料は第１および第２の共通端縁のうちから選ばれる端縁に平行する軸に沿って比較的大きい引っ張り強度を有してよい。
【００１６】
この場合異方性材料は、機械強度が比較的小さい平行する境目を間断なく続けて有すると考えることができる。引き裂きは例えば第１のフラップ上で発生する可能性があり、この引き裂きは、機械強度が比較的小さい第１の境目以外の境目において無視できない確率で起きる。
【００１７】
本願でのこのような材料からの利益は、以下のように二重である。
−  この特徴を示すボックスの試供品を開けるとき、極めて大きな割合のボックスは、第１のフラップ以外の部位で引き裂きを起こし、開放をカモフラージュする操作を標準化するのを困難にする。
−  機械強度が比較的小さい第１の境目以外で引き裂かれる可能性があるため、機械強度が比較的小さいこのような第１の境目を作ることを省略することも考えられる。その結果、ボックスを製造するのに関連する工程はこれによって低減される。
【００１８】
異方性材料の比較的大きい引っ張り強度は、好ましくは、配向された織物繊維を含めることにより得ることができる。
【００１９】
配向された織物繊維は、セルロース、ビスコース、木綿、亜麻、麻、イラクサ、羊毛、絹、ポリエステル、ナイロン、ポリオレフィン、アラミッドからなる群から選択されるのが好ましい。
これらの織物繊維は織られたヤーンの形で存在してよい。
【００２０】
一層好ましい態様によるとき、本発明の多角形ボックスは、（Ｉ）第１の蓋の下に挿入される第３の折り曲げフラップおよび（ＩＩ）第２の蓋の下に挿入される第４の折り曲げフラップがある第４の面をさらに包含する。
【００２１】
この定義に合致するボックスの普通な例は、４つの側面、１つの頂面および１つの底面のある直方体状の平行六面体ボックスであろう。
【００２２】
一層好ましい態様によるとき、第３の折り曲げフラップは、機械強度が比較的小さい第５の境目をその周辺に有する第５の表面を包含してよい。第１の蓋が折り曲げられそして頂面と共面にされる時に、この第５の表面は、第１の蓋に対して押圧されそしてそれに固着される。第４の折り曲げフラップは、機械強度が比較的小さい第６の境目をその周辺に有する第６の表面を包含してよい。第２の蓋が折り曲げられそして底面と共面にされる時に、この第６の表面が、第２の蓋に対して押圧されそしてそれに固着される。
【００２３】
本発明の多角形ボックスは一層好ましくは、やはりボール紙から主として製造される。
【００２４】
このボール紙の表面にデザインを印刷した後、ボール紙はそれに水分からの保護を与えるポリマーフィルムでコートされてよい。勿論、このポリマーフィルムはここで求められる材料特性に顕著な影響をあたえてはならない。許容できるポリマーフィルムには、ポリエチレン、ポリプロピレン、ポリスチレン、ハロゲン化ポリオレフィン例えばポリビニルクロライドまたはポリフルオロエチレンがある。
【００２５】
本発明は多角形ボックスを製造するために使用できるプレカットされた折り曲げシートにも関する。
【実施例】
【００２６】
本発明は非限定的な実施例によって以下に説明される：ここで、
−  図１には、本発明の好ましい態様に従うボックスの透視図が描かれ；
−  図２には、図１に描かれるボックスを製造するのに使用できるプレカットシートが描かれている。この図は勿論、このボックスが広げられた時の外見に相当する。
【００２７】
図１には多角形ボックス１が描かれている。この多角形ボックスには、（Ｉ）それぞれ２、３、４と表示される第１、第２および第３の面、（II）第１の蓋６を包含する頂面５、および（III）第２の蓋８を包含する底面７を包含する。
【００２８】
第１、第２および第３の面２、３、４はそれぞれ、（ａ）対応する第１の端縁９、１０、１１を頂面５と共通に有し、そして（ｂ）対応する第２の端縁１２、１３、１４を底面７と共通に有する。
【００２９】
第１の蓋６は第１の面２の第１の共通する端縁９につながっている。第２の面３は、第１の共通する端縁１０につながっている第１の折り曲げフラップ１５を包含する。第１の折り曲げフラップ１５は第１の蓋６の下に挿入される。多角形ボックス１は特別な特徴として、第１の折り曲げフラップ１５に第１の表面１６を有する。この第１の表面１６は機械強度が比較的小さい第１の境目１７をその周辺に有する。
【００３０】
この第１の境目１７の比較的小さい機械強度は、表面１６の周辺に沿って鑽孔するか部分的に切断することにより得られる。強度がより小さいこのような境目をつくる別な方法は、ボックスを製造する材料の厚さを減少すること、あるいはまたこれらの方法のすべて
の組み合わせからなってよい。
【００３１】
第１の蓋６が折り曲げられそして頂面５と共面にされる時、第１の表面１６は第１の蓋６に対して押圧されそしてそれに固着される。第１の表面１６と第１の蓋６との間の固着は、好適な接着剤によってまたはボックスを製造する材料が溶着可能である場合、例えばある種のプラスチックの場合、溶着によって行うことができる。
【００３２】
第２の蓋８はその第２の共通する端縁１２によって第１の面につながっている。第２の折り曲げフラップ１８は、その第２の共通する端縁１３によって第２の面につながっている。
【００３３】
第２の折り曲げフラップ１８は第２の蓋８の下に挿入される。この第２の折り曲げフラップ１８は第２の表面１９を包含し、これはその周辺に機械強度が比較的小さい第２の境目２０を有する。機械強度が比較的小さい境目を第２の境目２０につくる方法は、機械強度が比較的小さい第１の境目１７のために用いることができる方法から選定することができる。
【００３４】
第２の表面１９は、折り曲げられ底面７と共面にされているのがここに示される第２の蓋８に対して押圧されそしてそれに固着される。前記と同様に、許容できる固着方法には、接着剤での接着および溶着がある。
【００３５】
第１の蓋６は、第１の折り曲げタブ２１をさらに包含し、これは、この第１の蓋６が折り曲げられるとき第３の面４の下に挿入される。第３の面４は第３の面２２を包含し、これはその周辺に機械強度が比較的小さい第３の境目２３を有する。第１のタブ２１は、ボックスが閉じられるときに第３の面２２に対して押圧されそしてそれに固着される。
【００３６】
同様に、第２の蓋８は、第２の折り曲げタブ２４を包含し、これは、第３の面４の下に挿入される。第３の面４は第４の面２５を包含し、これはその周辺に機械強度が比較的小さい第４の境目２６を有する。第２のタブ２４は、ボックスが閉じられるときに第４の面２５に対して押圧されそしてそれに固着される。
【００３７】
多角形ボックス１は、第４の面２７を包含する。この面は（Ｉ）第１の蓋６の下に挿入される第３の折り曲げフラップ２８、および（II）第２の蓋８の下に挿入される第４の折り曲げフラップ２９を包含する。
【００３８】
第３の折り曲げフラップ２８は第５の表面３０を包含し、この第５の表面は機械強度が比較的小さい第５の境目３１をその周辺に有する。
【００３９】
図示にはないが蓋６が閉じられた位置にある場合、第５の表面３０はそれが折り曲げられそして頂面５と共面にされるとき、第１の蓋６に対して押圧されそしてそれに固着される。
【００４０】
第４の折り曲げフラップ２９は第６の表面３２を包含し、この表面は機械強度が比較的小さい第６の境目３３をその周辺に有する。第６の表面３２は、底面７と共面である第２の蓋８に対して押圧されそしてそれに固着される。
【００４１】
第１の面２は、第４の面２７に対して押圧されそしてそれに固着される側方のタブ３５を包含する。
【００４２】
多角形ボックス１は主としてボール紙からつくられる。つまり、ボール紙はボックスの
主要な構成物であり、またボックスは紙の被覆物および／またはポリマーフィルムのような断熱材の追加的な層と組み合わせることができる。
【００４３】
図２には、図１に示すボックスを製造するために使用できるプレカットシート３４が描かれている。
【００４４】
プレカットシート３４は、折り目３７〜３９によってそれぞれ分けられている第１、第２、第３および第４の面、２、３、４、２７を包含する。側方のタブ３５は第２の面に固着されそして折り目３７〜３９に平行する折り目３６によって面２から分けられている。
【００４５】
第１の面２は、折り目３６および３７に垂直な折り目４０、４１を包含する。従って、第１の面は、折り目３６、３７および４０、４１である端縁を境界とする四角形の平行六面体によって表される。
第１の蓋６は第１の面２に固着されまた折り目４０によって面２から分けられている。
【００４６】
同様に、第２の蓋８は第１の面２に固着されまた折り目４１によって面２から分けられている。
【００４７】
第１および第２の折り曲げタブ２１、２４は折り目４２および４３によってそれぞれ第１および第２の蓋６、８から分けられている。これらの折り目４２および４３は折り目４０および４１に平行である。
【００４８】
第１および第２の折り曲げフラップ１５、１８は、折り目４０および４１に平行する折り目４４、４５によって第２の面３に固着されそしてこれから分けられている。
【００４９】
第１の折り曲げフラップ１５は第１の表面１６を包含し、この表面はその周辺に機械強度が比較的小さい第１の境目１７を有する。ここで、この第１の境目１７は鑽孔または切れ目に相当する。
【００５０】
同様に、第２の折り曲げフラップ１８は第２の表面１９を包含し、この表面はその周辺に機械強度が比較的小さい第２の境目２０を有する。
【００５１】
第４の面は第３および第４の表面２２、２５を包含し、これらの表面はそれらの周辺に機械強度が比較的小さい第３および第４の境目２３、２６を有する。ここで、第３および第４の境目２３、２６は鑽孔または切れ目に相当する。
【００５２】
第３および第４の折り曲げフラップ２８、２９は、折り目４４および４５と共線である折り目４６、４７によって第４の面２７に固着されそしてこれから分けられている。    
【００５３】
第３の折り曲げフラップ２８は、第５の表面３０を包含し、この表面はその周辺に機械強度が比較的小さい第５の境目３１を有する。ここで第５の境目３１は鑽孔または切れ目に相当する。
【００５４】
同様に第４の折り曲げフラップ２９は、第６の表面３２を包含し、この表面はその周辺に機械強度が比較的小さい第６の境目３３を切れ目の形で有する。
【００５５】
プレカットシート３４がつくられる材料は異方性である。この異方性は、軸線を示す双頭の矢印４８によって表され、この材料は垂直な方向と比べて最大の引っ張り強度をこの軸線に沿って有する。双頭の矢印４８は折り目４０〜４７に対して平行な向きにある。
【００５６】
この場合、双頭の矢印４８によって表される異方性の軸線は、第１、第２、第５および第６の境目、それぞれ１７、２０、３１および３３に対しても平行である。このことは、これらに応力がかかる時にそれらを引き離すのを容易にし、同時にこれらの境目の外側で引き裂かれる危険を限定するという利点を有する。
【００５７】
上記に描いてはいない態様によるとき、異方性の軸線は、材料の特性を著しく変化することなく僅かな角度的変化を示すことができる。従って、角度が少しだけ、例えば＋／−１０°だけずれても、満足すべき機械的特性を維持するのを可能にする。さらに、第３および第４の表面２２および２５の引き離しを促すべきであるなら、第３および第４の境目２３および２６の少なくともいくらかに対して異方性の軸線を平行に配向するのが有益であろうし、またいくつかの場合、このことは図２に描く位置に対して異方性の軸線を直角に配向するように働くであろう。
【図面の簡単な説明】
【００５８】
【図１】本発明のボックスの透視図である。
【図２】本発明のボックスを製造するために使用されるプレカットシートを示す図である。
【図１】
2005510420.tif 000003
【図２】
2005510420.tif 000004
【手続補正書】
【提出日】平成15年9月5日(2003.9.5)
【手続補正１】
【補正対象書類名】特許請求の範囲
【補正対象項目名】全文
【補正方法】変更
【補正の内容】
【特許請求の範囲】
【請求項１】
(Ｉ）第１、第２および第３の面（２）、（３）、（４）、（II）第１の蓋（６）をなす頂面（５）、ならびに（III）第２の蓋（８）をなす底面（７）を包含し、これら第１、第２および第３の面（２）、（３）、（４）はそれぞれ、（ａ）頂面（５）と共通するそれぞれの第１の端縁（９）、（１０）、（１１）、および（ｂ）底面（７）と共通するそれぞれの第２の端縁（１２）、（１３）、（１４）を有し、第１の蓋（６）は第１の面（２）の第１の共通の端縁（９）につながっており、第２の面（３）は第１の共通の端縁（１０）につながる第１の折り曲げフラップ（１５）を包含し、この第１の折り曲げフラップ（１５）は第１の蓋（６）の下に挿入される多角形ボックス（１）であって、第１の折り曲げフラップ（１５）は、機械強度が比較的小さい第１の境目（１７）をその周辺に有する第１の表面（１６）を包含すること、またこの第１の表面（１６）は、それが折り曲げられそして頂面（５）と共面にされる時に、第１の蓋（６）に対して押圧されそしてこれに固着されることを特徴とする多角形ボックス（１）。
【請求項２】
第２の蓋（８）がその共通する第２の端縁（１２）によって第１の面（２）につながっていること、またそれが、第２の面（３）にその共通する第２の端縁（１３）によってつながった第２の折り曲げフラップ（１８）を包含し、この第２の折り曲げフラップ（１８）が第２の蓋（８）の下に挿入されることを特徴とする請求項１にに記載する多角形ボックス（１）であって、第２の折り曲げフラップ（１８）は、機械強度が比較的小さい第２の境目（２０）をその周辺に有する第２の表面（１９）を包含すること、またこの第２の表面（１９）は、それが折り曲げられそして底面（７）と共面にされる時に、第２の蓋（８）に対して押圧されそしてこれに固着されることを特徴とする、請求項１に記載の多角形ボックス（１）。
【請求項３】
第１の蓋（６）が折り曲げられる時に第３の面（４）の下に挿入される第１の折り曲げタブ（２１）をこの第１の蓋（６）が包含すること、この第３の面（４）が機械強度の比較的小さい第３の境目（２３）をその周辺に有する第３の表面（２２）を包含すること、そしてこの第１のタブ（２１）が、第３の表面（２２）に対して押圧されそしてこれに固着されることを特徴とする、請求項１または２に記載の多角形ボックス（１）。
【請求項４】
第２の蓋（８）が、第３の面（４）の下に挿入される第２の折り曲げタブ（２４）をさらに包含すること、この第３の面（４）が機械強度の比較的小さい第４の境目（２６）をその周辺に有する第４の表面（２６）を包含すること、そしてこの第２のタブ（２４）が、第４の表面（２５）に対して押圧されそしてこれに固着されることを特徴とする、請求項１〜３のいずれか１項に記載の多角形ボックス（１）。
【請求項５】
ボックスが製造される材料が異方性であることを特徴とする、請求項１〜４のいずれか１項に記載の多角形ボックス（１）。
【請求項６】
異方性材料が、第１および第２の共通端縁（９）〜（１４）のうちから選ばれる端縁に平行する軸線に沿って比較的大きい引っ張り強度を有することを特徴とする、請求項５に記載の多角形ボックス（１）。
【請求項７】
異方性材料の比較的大きい引っ張り強度が、配向された織物繊維を含ませることにより得られることを特徴とする、請求項６に記載の多角形ボックス（１）。
【請求項８】
織物繊維が、セルロース、ビスコース、木綿、亜麻、麻、イラクサ、羊毛、絹、ポリエステル、ナイロン、ポリオレフィン、アラミッドからなる群から選択されることを特徴とする、請求項７に記載の多角形ボックス（１）。
【請求項９】
多角形ボックス（１）が第４の面（２７）をさらに包含し、この第４の面（２７）が、（Ｉ）第１の蓋（６）の下に挿入される第３の折り曲げフラップ（２８）、および（II）第２の蓋（８）の下に挿入される第４の折り曲げフラップ（２９）を包含することを特徴とする、請求項１〜８のいずれか１項に記載の多角形ボックス（１）。
【請求項１０】
第３の折り曲げフラップ（２８）が、機械強度が比較的小さい第５の境目（３１）をその周辺に有する第５の表面（３０）を包含すること、第１の蓋（６）が折り曲げられそして頂面（５）と共面にされる時に、この第５の表面（３０）が、第１の蓋（６）に対して押圧されそしてそれに固着されること、第４の折り曲げフラップ（２９）が、機械強度が比較的小さい第６の境目（３３）をその周辺に有する第６の表面（３２）を包含すること、そして第２の蓋（８）が折り曲げられそして底面（７）と共面にされる時に、この第６の表面（３２）が、第２の蓋（８）に対して押圧されそしてそれに固着されることを特徴とする、請求項９に記載の多角形ボックス（１）。
【請求項１１】
主としてボール紙から製造されることを特徴とする、請求項１〜１０のいずれか１項に記載の多角形ボックス（１）。
【請求項１２】
必要に応じ接着工程を続ける、次の折り曲げ工程を実施するときに、請求項１〜１１のいずれか１項に記載の多角形ボックス（１）へと直接転換可能なプレカット折り曲げシート（３４）。
【国際調査報告】
2005510420.tif 000005
2005510420.tif 000006
2005510420.tif 000007
2005510420.tif 000008
2005510420.tif 000009
2005510420.tif 000010